(57)【要約】【課題】認証の解除を防止できる携帯電子機器、携帯電子機器における認証方法、およびコンピュータプログラムを提供する。【解決手段】携帯電子機器１は、認証画像を表示する表示部２を備え、認証時に入力すべきデータとして予め入力された認証用データが登録される認証用データ部２１と、認証画像における目印として予め規定された規定点を示す規定点データが登録される規定点データ部２２と、認証時に規定点が位置合わせされるべき位置として入力された標的位置を示す標的位置データが登録される標的位置データ部２３と、認証の都度、表示部２における規定点の位置を異ならせて表示する規定点表示制御部３１と、認証時に規定点が標的位置（標的方位）に位置合わせされたことを検出して認証の前提条件を満たしたと判定する認証条件判定部３３とを備える。【選択図】図２
2014010779.tif 000002
【特許請求の範囲】
【請求項１】
認証時に適用される認証画像を表示する表示部と、前記表示部を保持する筐体とを備える携帯電子機器であって、
認証時に入力すべきデータとして予め入力された認証用データが登録される認証用データ部と、
前記認証画像における目印として予め規定された規定点を示す規定点データが登録される規定点データ部と、
認証時に前記規定点が位置合わせされるべき位置として入力された標的位置を示す標的位置データが登録される標的位置データ部と、
認証の都度、前記表示部における前記規定点の位置を異ならせて表示する規定点表示制御部と、
認証時に前記規定点が標的位置に位置合わせされたことを検出して認証の前提条件を満たしたと判定する認証条件判定部とを備えること
を特徴とする携帯電子機器。
【請求項２】
請求項１に記載の携帯電子機器であって、
前記標的位置は、前記筐体が置かれた場所での方位であること
を特徴とする携帯電子機器。
【請求項３】
請求項１または請求項２に記載の携帯電子機器であって、
前記認証用画像は、アナログ時計の文字盤であること
を特徴とする携帯電子機器。
【請求項４】
請求項１または請求項２に記載の携帯電子機器であって、
前記認証用画像は、地図であること
を特徴とする携帯電子機器。
【請求項５】
請求項１から請求項４までのいずれか一つに記載の携帯電子機器であって、
前記規定点が前記標的位置に位置合わせされたときの前記筐体に対する移動操作を確定する移動操作確定部を備えること
を特徴とする携帯電子機器。
【請求項６】
請求項５に記載の携帯電子機器であって、
前記認証条件判定部は、前記移動操作確定部が前記筐体に対する移動操作を確定した後に、前記移動動作が前記前提条件を満たすか否かについて判定する構成とされていること
を特徴とする携帯電子機器。
【請求項７】
請求項６に記載の携帯電子機器であって、
前記認証条件判定部が前記認証の前提条件を満たしていると判定したとき、前記認証用データを入力させる認証用データ入力部を動作させること
を特徴とする携帯電子機器。
【請求項８】
請求項１から請求項７までのいずれか一つに記載の携帯電子機器であって、
前記認証画像が登録された認証画像データ部を備えること
を特徴とする携帯電子機器。
【請求項９】
認証時に適用される認証画像を表示する表示部と、前記表示部を保持する筐体とを備える携帯電子機器における認証方法であって、
認証時に入力すべきデータとして予め入力された認証用データを認証用データ部に登録するステップと、
前記認証画像における目印として予め規定された規定点を示す規定点データを規定点データ部に登録するステップと、
認証時に前記規定点が位置合わせされるべき位置として入力された標的位置を示す標的位置データを標的位置データ部に登録するステップと、
認証の都度、前記表示部における前記規定点の位置を異ならせて規定点表示制御部に表示させるステップと、
認証時に前記規定点が標的位置に位置合わせされたことを検出して認証の前提条件を満たしたと認証条件判定部に判定させるステップとを備えること
を特徴とする携帯電子機器における認証方法。
【請求項１０】
認証時に適用される認証画像を表示する表示部と、前記表示部を保持する筐体とを備える携帯電子機器における認証方法をコンピュータに実行させるコンピュータプログラムであって、
認証時に入力すべきデータとして予め入力された認証用データを認証用データ部に登録するステップと、
前記認証画像における目印として予め規定された規定点を示す規定点データを規定点データ部に登録するステップと、
認証時に前記規定点が位置合わせされるべき位置として入力された標的位置を示す標的位置データを標的位置データ部に登録するステップと、
認証の都度、前記表示部における前記規定点の位置を異ならせて規定点表示制御部に表示させるステップと、
認証時に前記規定点が標的位置に位置合わせされたことを検出して認証の前提条件を満たしたと認証条件判定部に判定させるステップとをコンピュータに実行させること
を特徴とする携帯電子機器における認証方法をコンピュータに実行させるコンピュータプログラム。
【発明の詳細な説明】
【技術分野】
【０００１】
本発明は、認証時に適用される認証画像を表示する表示部を備える携帯電子機器、携帯電子機器における認証方法、携帯電子機器における認証方法をコンピュータに実行させるコンピュータプログラムに関する。
【背景技術】
【０００２】
情報機器の高度化に伴い携帯電子機器が提案され、どこでも自由に使用できる状況となっている。携帯電子機器として、電話機能を有する携帯電話端末などがある。従来の携帯電子機器においては、不正使用の防止、誤操作の防止などの観点から、操作入力に対して入力の妥当性を確認するために事前に認証処理が必要とされることがある。
【０００３】
認証処理を備える携帯電子機器として、例えば、特許文献１ないし特許文献３が提案されている。
【０００４】
特許文献１に開示された携帯電子機器は、加速度センサーを内蔵し、機器本体の移動に伴う加速度変化のパターンを予め認証条件として登録し、認証時における機器本体の移動による加速度変化のパターンを加速度センサーで検出して登録された認証条件と照合することによって認証を実行する。
【０００５】
特許文献２に開示された通信システム（通信端末装置）は、方位センサーおよび加速度センサーを用いて通信システムのセキュリティを実行する。
【０００６】
特許文献３に開示された携帯端末は、加速度センサー（モーションセンサー）を用いて姿勢情報と暗証番号の組み合わせによって認証を実行する。
【先行技術文献】
【特許文献】
【０００７】
【特許文献１】特開２０１１−１９３１２２号公報
【特許文献２】特開２００７−３２９５９９号公報
【特許文献３】特開２０１１−３５８５５号公報
【発明の概要】
【発明が解決しようとする課題】
【０００８】
特許文献１ないし特許文献３に開示されたような加速度センサーによる姿勢情報を適用した認証においては、周囲から動作を認識することが可能となり、同じ動作（傾き、回転などの端末に対する移動操作）を端末に施した場合、姿勢などに関する認証条件が合致して、携帯電子機器（端末）のセキュリティが解除される虞が生じるという課題があった。
【０００９】
また、暗証番号を併用した場合（特許文献３）においては、暗証番号が文字の組み合わせであることから、他人の模倣、盗用により入力される虞があるという課題があった。
【００１０】
さらに、近年の高機能化している携帯電子機器（端末）では、公開ＯＳ（オペレーティングシステム）が適用されることが多く、端末ログから操作上のログが抽出されて携帯電子機器の認証情報が流出する虞があるという課題があった。
【００１１】
本発明はこのような状況に鑑みてなされたものであり、認証に際して位置合わせすべき目印としての規定点を認証の都度、表示部における位置を異ならせることにより、他者による認証の解除を防止できる携帯電子機器を提供することを目的とする。
【００１２】
また、本発明は、認証に際して位置合わせすべき目印としての規定点を認証の都度、表示部における位置を異ならせることにより、他者による認証の解除を防止できる携帯電子機器における認証方法を提供することを他の目的とする。
【００１３】
また、本発明は、認証に際して位置合わせすべき目印としての規定点を認証の都度、表示部における位置を異ならせることにより、他者による認証の解除を防止できる携帯電子機器における認証方法をコンピュータに実行させるコンピュータプログラムを提供することを他の目的とする。
【課題を解決するための手段】
【００１４】
本発明に係る携帯電子機器は、認証時に適用される認証画像を表示する表示部と、前記表示部を保持する筐体とを備える携帯電子機器であって、認証時に入力すべきデータとして予め入力された認証用データが登録される認証用データ部と、前記認証画像における目印として予め規定された規定点を示す規定点データが登録される規定点データ部と、認証時に前記規定点が位置合わせされるべき位置として入力された標的位置を示す標的位置データが登録される標的位置データ部と、認証の都度、前記表示部における前記規定点の位置を異ならせて表示する規定点表示制御部と、認証時に前記規定点が標的位置に位置合わせされたことを検出して認証の前提条件を満たしたと判定する認証条件判定部とを備えることを特徴とする。
【００１５】
したがって、本発明に係る携帯電子機器は、認証時において表示部に表示される規定点の位置が認証の都度変更されることから、認証の前提条件を満たすために筐体を移動させる移動操作が認証の都度全く異なることになり、認証中の動作、あるいは操作を見られたときにそのまま真似されたとしても全く意味をなさず、他者による認証の解除が困難となり、例え認証用データをログなどで解析された場合でも認証が解除されることを防止できる。
【００１６】
また、本発明に係る携帯電子機器では、前記標的位置は、前記筐体が置かれた場所での方位であることを特徴とする。
【００１７】
したがって、本発明に係る携帯電子機器は、筐体が置かれた場所での方位を標的位置とすることから、どのような場所で使用する場合でも高精度に認証を実施することが可能となり、利便性を向上させることができる。
【００１８】
また、本発明に係る携帯電子機器では、前記認証用画像は、アナログ時計の文字盤であることを特徴とする。
【００１９】
したがって、本発明に係る携帯電子機器は、アナログ時計の正時表示、分表示などをそのまま利用して規定点を設定できるので、高精度に規定点を設定し、また、認証に際しての高精度な位置合わせを要求することができる。
【００２０】
また、本発明に係る携帯電子機器では、前記認証用画像は、地図であることを特徴とする。
【００２１】
したがって、本発明に係る携帯電子機器は、地図を利用して規定点を設定できるので、高精度に規定点を設定し、また、認証に際しての高精度な位置合わせを要求することができる。
【００２２】
また、本発明に係る携帯電子機器では、前記規定点が前記標的位置に位置合わせされたときの前記筐体に対する移動操作を確定する移動操作確定部を備えることを特徴とする。
【００２３】
したがって、本発明に係る携帯電子機器は、認証時の移動操作が終了したとき、移動操作確定部に移動操作を確定させることから、その後の操作に対する筐体の配置を自由にすることが可能となるので、回転させた筐体を操作しやすい位置に戻して認証用データを入力することができ、利便性が向上する。
【００２４】
また、本発明に係る携帯電子機器では、前記認証条件判定部は、前記移動操作確定部が前記筐体に対する移動操作を確定した後に、前記移動動作が前記前提条件を満たすか否かについて判定する構成とされていることを特徴とする。
【００２５】
したがって、本発明に係る携帯電子機器は、筐体に対する移動操作（位置合わせ操作）が移動操作確定部によって確定された状態で、移動動作が前提条件を満たすか否かを判定することから、移動操作が確定された後に認証用データを入力させることができるので、規定点（筐体）を一回転させたときに該当する位置で認証条件が満たされたと誤って判定されることを防止でき、認定の信頼性を向上させる。
【００２６】
また、本発明に係る携帯電子機器では、前記認証条件判定部が前記認証の前提条件を満たしていると判定したとき、前記認証用データを入力させる認証用データ入力部を動作させることを特徴とする。
【００２７】
したがって、本発明に係る携帯電子機器は、認証条件判定部が認証の前提条件を満たしたときに、認証用データを入力させる認証用データ入力部を動作させることから、認証用データが知られたときでも認証を破ることは容易にできないので、認証の防犯性を向上して高いセキュリティを確保することができる。
【００２８】
また、本発明に係る携帯電子機器では、前記認証画像が登録された認証画像データ部を備えることを特徴とする。
【００２９】
したがって、本発明に係る携帯電子機器は、認証画像が予め登録されることから、高精度な規定点を容易に設定できる認証画像とすることが可能であり、利便性の高い認証を実行することができる。
【００３０】
また、本発明に係る携帯電子機器における認証方法は、認証時に適用される認証画像を表示する表示部と、前記表示部を保持する筐体とを備える携帯電子機器における認証方法であって、認証時に入力すべきデータとして予め入力された認証用データを認証用データ部に登録するステップと、前記認証画像における目印として予め規定された規定点を示す規定点データを規定点データ部に登録するステップと、認証時に前記規定点が位置合わせされるべき位置として入力された標的位置を示す標的位置データを標的位置データ部に登録するステップと、認証の都度、前記表示部における前記規定点の位置を異ならせて規定点表示制御部に表示させるステップと、認証時に前記規定点が標的位置に位置合わせされたことを検出して認証の前提条件を満たしたと認証条件判定部に判定させるステップとを備えることを特徴とする。
【００３１】
したがって、本発明に係る携帯電子機器における認証方法は、認証時において表示部に表示される規定点の位置が認証の都度変更されることから、認証の前提条件を満たすために筐体を移動させる移動操作が認証の都度全く異なることになり、認証中の動作、あるいは操作を見られたときにそのまま真似されたとしても全く意味をなさず、他者による認証の解除が困難となるので、例え認証用データをログなどで解析された場合でも認証が解除されることを防止できる。
【００３２】
また、本発明に係る携帯電子機器における認証方法をコンピュータに実行させるコンピュータプログラムは、認証時に適用される認証画像を表示する表示部と、前記表示部を保持する筐体とを備える携帯電子機器における認証方法をコンピュータに実行させるコンピュータプログラムであって、認証時に入力すべきデータとして予め入力された認証用データを認証用データ部に登録するステップと、前記認証画像における目印として予め規定された規定点を示す規定点データを規定点データ部に登録するステップと、認証時に前記規定点が位置合わせされるべき位置として入力された標的位置を示す標的位置データを標的位置データ部に登録するステップと、認証の都度、前記表示部における前記規定点の位置を異ならせて規定点表示制御部に表示させるステップと、認証時に前記規定点が標的位置に位置合わせされたことを検出して認証の前提条件を満たしたと認証条件判定部に判定させるステップとをコンピュータに実行させることを特徴とする。
【００３３】
したがって、本発明に係る携帯電子機器における認証方法をコンピュータに実行させるコンピュータプログラムは、認証時において表示部に表示される規定点の位置が認証の都度変更されることから、認証の前提条件を満たすために筐体を移動させる移動操作が認証の都度全く異なることになり、認証中の動作、あるいは操作を見られたときにそのまま真似されたとしても全く意味をなさず、他者による認証の解除が困難となるので、例え認証用データをログなどで解析された場合でも認証が解除されることを防止できる。
【発明の効果】
【００３４】
本発明に係る携帯電子機器は、認証時に適用される認証画像を表示する表示部と、前記表示部を保持する筐体とを備える携帯電子機器であって、前記認証画像における目印として予め規定された規定点を示す規定点データが登録される規定点データ部と、認証の都度、前記表示部における前記規定点の位置を異ならせて表示する規定点表示制御部とを備える。
【００３５】
したがって、本発明に係る携帯電子機器は、認証時において表示部に表示される規定点の位置が認証の都度変更されることから、認証の前提条件を満たすために筐体を移動させる移動操作が認証の都度全く異なることになり、認証中の動作、あるいは操作を見られたときにそのまま真似されたとしても全く意味をなさず、他者による認証の解除が困難となり、例え認証用データをログなどで解析された場合でも認証が解除されることを防止できる。
【００３６】
本発明に係る携帯電子機器における認証方法は、認証時に適用される認証画像を表示する表示部と、前記表示部を保持する筐体とを備える携帯電子機器における認証方法であって、前記認証画像における目印として予め規定された規定点を示す規定点データを規定点データ部に登録するステップと、認証の都度、前記表示部における前記規定点の位置を異ならせて規定点表示制御部に表示させるステップとを備える。
【００３７】
したがって、本発明に係る携帯電子機器における認証方法は、認証時において表示部に表示される規定点の位置が認証の都度変更されることから、認証の前提条件を満たすために筐体を移動させる移動操作が認証の都度全く異なることになり、認証中の動作、あるいは操作を見られたときにそのまま真似されたとしても全く意味をなさず、他者による認証の解除が困難となるので、例え認証用データをログなどで解析された場合でも認証が解除されることを防止できる。
【００３８】
本発明に係る携帯電子機器における認証方法をコンピュータに実行させるコンピュータプログラムは、認証時に適用される認証画像を表示する表示部と、前記表示部を保持する筐体とを備える携帯電子機器における認証方法をコンピュータに実行させるコンピュータプログラムであって、前記認証画像における目印として予め規定された規定点を示す規定点データを規定点データ部に登録するステップと、認証の都度、前記表示部における前記規定点の位置を異ならせて規定点表示制御部に表示させるステップとをコンピュータに実行させる。
【００３９】
したがって、本発明に係る携帯電子機器における認証方法をコンピュータに実行させるコンピュータプログラムは、認証時において表示部に表示される規定点の位置が認証の都度変更されることから、認証の前提条件を満たすために筐体を移動させる移動操作が認証の都度全く異なることになり、認証中の動作、あるいは操作を見られたときにそのまま真似されたとしても全く意味をなさず、他者による認証の解除が困難となるので、例え認証用データをログなどで解析された場合でも認証が解除されることを防止できる。
【図面の簡単な説明】
【００４０】
【図１Ａ】本発明の実施の形態１に係る携帯電子機器の表示部における表示状態例を示す平面図である。
【図１Ｂ】図１Ａに示した携帯電子機器における３次元での姿勢の相関状態を説明する概念図である。
【図２】図１Ａに示した携帯電子機器が備える機能ブロックを示すブロック図である。
【図３Ａ】図１Ａに示した携帯電子機器において認証条件を設定するときの認証設定入力画面を概念的に示す概念図である。
【図３Ｂ】図３Ａに示した認証設定入力画面における入力に対する処理フローを示す処理フロー図である。
【図４Ａ】図１Ａに示した携帯電子機器における認証時の認証条件照合画面を概念的に示す概念説明図である。
【図４Ｂ】図４Ａに示した認証条件照合画面において規定点（表示部）を標的位置に向けて移動操作する直前の状態を概念的に示す概念説明図である。
【図４Ｃ】図４Ｂに示した認証条件照合画面（表示部）に対してシフト角（移動操作）を及ぼし、規定点を標的位置に位置決めした状態を概念的に示す概念説明図である。
【図４Ｄ】図４Ｃに示した認証条件照合画面に対する処理が終了した後、認証用データが入力された状態を概念的に示す概念説明図である。
【図５】図４Ａないし図４Ｄに示した認証時の処理状態をフローとして示す処理フロー図である。
【図６Ａ】本発明の実施の形態２に係る携帯電子機器において認証条件を設定するときの認証設定入力画面（規定点データ入力部）を概念的に示す概念図である。
【図６Ｂ】図６Ａに示した携帯電子機器における認証時の認証条件照合画面を概念的に示す概念図である。
【図６Ｃ】図６Ｂに示した認証条件照合画面（表示部）に対してシフト角（移動操作）を及ぼし、規定点を標的位置に位置決めした状態を概念的に示す概念図である。
【図７Ａ】本発明の実施の形態３に係る携帯電子機器において認証条件を設定するときの認証設定入力画面（規定点を入力した後の経路データ入力状態）を概念的に示す概念図である。
【図７Ｂ】図７Ａに示した携帯電子機器の認証照合画面において規定点（表示部）を標的位置に向けて位置決めした後、さらに経路データ（経路点）を入力して照合する状態（変形例１）を概念的に示す概念図である。
【図７Ｃ】図７Ａに示した携帯電子機器の認証照合画面において規定点（表示部）を標的位置に向けて位置決めした後、さらに経路データ（移動経路）を照合する状態（変形例２）を概念的に示す概念図である。
【発明を実施するための形態】
【００４１】
以下、本発明の実施の形態について図面を参照して説明する。
【００４２】
＜実施の形態１＞
図１Ａないし図５を参照して、本実施の形態に係る携帯電子機器、携帯電子機器における認証方法、および、携帯電子機器における認証方法をコンピュータに実行させるコンピュータプログラムについて説明する。
【００４３】
図１Ａは、本発明の実施の形態１に係る携帯電子機器１の表示部２における表示状態例を示す平面図である。
【００４４】
図１Ｂは、図１Ａに示した携帯電子機器１における３次元での姿勢の相関状態を説明する概念図である。
【００４５】
本実施の形態に係る携帯電子機器１は、表示部２と表示部２を保持する筐体３とを備える。表示部２は、通常の情報に加えて、認証時の認証に適用される認証画像ＡＰ（本実施の形態では、アナログ時計）を表示できる。なお、アナログ時計の時刻は携帯電子機器１が動作しているときの実際の時刻を表示する。携帯電子機器１を操作しているときの実際の時刻は、その都度異なるのでアナログ時計の長針、短針は異なって表示される。本実施の形態に係る図面では、図面の見やすさを考慮してアナログ時計の長針および短針は、２点鎖線（想像線）で表示される。
【００４６】
表示部２は、例えば方位計４１ｄ、キー入力部１５などを適宜表示することができる。表示部２は、画像、文字などを表示する出力部であり、入力部を構成するタッチパネル１１と重畳して配置されている。つまり、表示部２およびタッチパネル１１は、入出力部として機能する。
【００４７】
認証画像ＡＰとして機能するアナログ時計は、認証用のみに使用されても良いが、通常の時計として利用されるものを認証用と兼用することが可能である。認証画像ＡＰ（アナログ時計）は、例えば１２時間制とされ、円を１２等分して形成された正時のマーク１２個が円の内周に規定点候補ＴＳ（規定点候補ＴＳから認証時の目印となる規定点ＴＳｓ（図４Ａ参照）が選択される。）として配置されている。なお、通常は、１２時に対応する正時マークは、他の正時マーク（１時ないし１１時）に比較して大きく表示され、円周上の位置として明確に識別可能な状態とされる。
【００４８】
正時に対応させて規定点候補ＴＳを設定した場合は、３０度単位で規定点ＴＳｓを設定することができ、高精度に認証条件を設定することができる。
【００４９】
規定点候補ＴＳは、正時の１２個に限らず、分表示（図示省略）の６０個を適用することも可能である。なお、認証画像ＡＰは、拡大、縮小が可能であり、認証画像ＡＰが小さいときは、拡大することによって、分表示の６０個のそれぞれを規定点候補ＴＳとすることができる。
【００５０】
方位計４１ｄは、認証時において携帯電子機器１が置かれた場所での実際の方位を示す。方位計４１ｄは、内蔵する地磁気センサー４１（図２参照）が認証場所で検出した方位を表示する。図１Ａでは、実際の北方位ＲＮが矢印の向きで示された状態を例示する。なお、方位計４１ｄ（北方位ＲＮ）は、実際の方位を検出して表示することから、筐体３を回転して移動させたとき、筐体３の回転方向と逆方向に回転して表示される。
【００５１】
キー入力部１５は、例えば数字、記号などを入力できる形態として表示部２に表示され、例えば数字部分をタッチすることによって、タッチパネル１１を機能させ、数字を入力することができる。また、キー入力部１５は、英文字を表示して英文字を入力できる形態とすることができる。
【００５２】
Ｘ軸は、筐体３の幅方向（左右方向）で規定され、Ｙ軸は筐体３の長さ方向（手前・奥行方向）で規定されている。Ｘ軸を回転軸として回転角θｘ（例えば水平面を基準として±９０度）が定義され、回転角θｘは、筐体３の中心に対して手前から奥行に渡る回転角である。また、Ｙ軸を回転軸として回転角θｙ（例えば水平面を基準として±９０度）が定義され、回転角θｙは、筐体３の中心に対して左右に渡る回転角である。回転角θｘ、回転角θｙは、筐体３の姿勢情報ｆ（θｘ，θｙ）として利用される。以下の説明では、説明および理解の容易さを考慮して回転角θｘおよび回転角θｙは「０」、つまり、表示部２が水平状態とされているとして説明するが、これらの回転角θｘ、回転角θｙを姿勢情報として認証の前提条件に取り入れることも可能である。
【００５３】
Ｚ軸は、表示部２（タッチパネル１１）が水平状態とされたとき、表示部２の表面に対して垂直方向で規定される。また、Ｚ軸を回転軸として回転角θｚが定義され、回転角θｚは、いわゆる方位と照合させることができる。以下では、説明の便宜上回転角θｚ（方位）を種々の方位符号、回転角符号（図４Ａ以下参照）で説明する。
【００５４】
なお、携帯電子機器１は、無線での電話機能を有する携帯電話端末、電話機能を持たないが無線によってインターネットに接続可能な情報端末などとすることができる。
【００５５】
図２は、図１Ａに示した携帯電子機器１が備える機能ブロックを示すブロック図である。
【００５６】
携帯電子機器１は、ＣＰＵ（Ｃｅｎｔｒａｌ  Ｐｒｏｃｅｓｓｉｎｇ  Ｕｎｉｔ）で構成された制御部１０を備え、制御部１０によって種々の情報処理を実行する。なお、情報処理を実行するときのコンピュータプログラムは、制御部１０が各機能ブロック（記憶部２０その他）と連携して機能するようにプログラムメモリ（不図示）に予めインストールされている。各機能ブロックは、バス１０ｂを介して制御部１０と連携し、各種の処理（コンピュータプログラム）を実行する。
【００５７】
携帯電子機器１は、平板状の筐体３の一平面に一体化して配置された表示部２（出力部）およびタッチパネル１１（入力部）を備える。
【００５８】
タッチパネル１１（表示部２）は、認証時に入力すべきデータ（暗証番号）として予め入力される認証用データＮＤ（図３Ａ参照。例えば、文字列。）が入力される認証用データ入力部１２と、認証画像ＡＰにおける目印として予め規定された規定点ＴＳｓ（図３Ａ参照。アナログ時計の文字盤の例えば３時位置。）に対応する規定点データＤＰ（図３Ａ、図４Ａ参照。例えば「３」時は、１２時からの回転角α１＝９０度として処理される。）が入力される規定点データ入力部１３と、認証時に規定点ＴＳｓが位置合わせされるべき位置として入力された標的位置ＴＰ（図３Ａ参照。例えば方位「西」。）に対応する標的位置データＴＰＤ（図３Ａ、図４Ｂ参照。例えば標的位置ＴＰを「西」とした場合、北方位から右回りの方位角α２＝２７０度として処理される。）が登録される標的位置データ入力部１４と、英数字および記号などを入力するときのタッチキーとなるキー入力部１５とを備える。
【００５９】
なお、規定点ＴＳｓに対する規定点データＤＰ、標的位置ＴＰに対する標的位置データＴＰＤは、単にデータ処理上の相違を示すために便宜上区別して示すが、それぞれ実質的には同一の内容を意味することから、以下では、単に一方のみを記載することがある。規定点データＤＰ、標的位置データＴＰＤ、認証用データＮＤは、演算処理が容易な形態に変換され、必要なデータ処理が施される。
【００６０】
記憶部２０は、認証時に入力すべきデータとして予め入力された認証用データＮＤが登録される認証用データ部２１と、認証画像ＡＰにおける目印として予め規定された規定点ＴＳｓを示す規定点データＤＰが登録される規定点データ部２２と、認証時に規定点ＴＳｓが位置合わせされるべき位置として入力された標的位置ＴＰを示す標的位置データＴＰＤが登録される標的位置データ部２３と、認証画像ＡＰが登録された認証画像データ部２４を備える。認証画像データ部２４は、アナログ時計（本実施の形態）、地図（実施の形態２参照）を認証画像として登録する。
【００６１】
携帯電子機器１は、認証の都度、表示部２における規定点ＴＳｓの位置を異ならせて表示する規定点表示制御部３１と、認証時に規定点ＴＳｓが標的位置ＴＰ（例えば、標的方位としての「西」。）に位置合わせされたことを検出して認証の前提条件を満たしたか否かを判定する認証条件判定部３３とを備える。
【００６２】
また、携帯電子機器１は、認証条件の処理に関連して機能する乱数制御部３２、移動操作確定部３４、認証処理部３５を備える。乱数制御部３２は、規定点データＤＰに対して乱数処理を施し、認証の都度、規定点表示制御部３１に規定点ＴＳｓの位置を変更して表示させる。つまり、乱数制御部３２は、乱数を生成し、規定点データＤＰに対して乱数演算を施し、認証の都度、規定点ＴＳｓを異なる位置に表示させる。移動操作確定部３４は、規定点ＴＳｓが標的位置ＴＰに位置合わせされたときの筐体３に対する移動操作を確定する。認証処理部３５は、認証に関連する処理フロー（図５参照）をコンピュータプログラムに従って処理し、例えば、認証用データ入力部１２に入力された認証用データＮＤが認証用データ部２１に登録されたデータ（認証用データＮＤ）と一致するか否かを判断する。
【００６３】
携帯電子機器１は、センサー部４０として、地磁気センサー４１と、モーションセンサー４２とを備える。地磁気センサー４１は、検出した方位を方位計４１ｄとして表示部２に表示する。モーションセンサー４２は、筐体３の姿勢情報ｆ、移動情報（例えば、移動経路ＲＰｒ１、移動経路ＲＰｒ２。図７Ｃ参照。）を抽出することができる。
【００６４】
携帯電子機器１は、無線通信部４８を備える。無線通信部４８は、携帯電子機器１に通信機能を持たせた場合に外部との通信を実行する。また、認証画像ＡＰとして新たに地図を設定するとき、ネットに接続して新たな地図を取得することができる。
【００６５】
図３Ａおよび図３Ｂを参照して、認証を実行するとき（暗証番号の入力、照合によるセキュリティの解除）に予め加重の条件として設定される前提条件に対する事前準備（事前処理、事前設定）の形態について説明する。
【００６６】
図３Ａは、図１Ａに示した携帯電子機器１において認証条件を設定するときの認証設定入力画面２ｄを概念的に示す概念図である。
【００６７】
表示部２（タッチパネル１１）には、認証設定入力画面２ｄが表示されている。認証設定入力画面２ｄには、認証用データ入力部１２、規定点データ入力部１３、標的位置データ入力部１４、キー入力部１５が表示されている。
【００６８】
認証用データ入力部１２には、例えば「Ａ：認証用データ（５〜１０文字の英数字を入力）」といった入力案内が表示され、認証用データＮＤ（暗証番号）が入力される状態となっている。図３Ａでは、認証用データＮＤとして「１１２２３３」を設定し、認証用データＮＤがキー入力部１５に対するタッチ入力によって既に入力された状態が示されている。
【００６９】
アナログ時計を利用した認証の場合であることから、「Ｂ：認証時前提条件設定（アナログ時計利用）」「Ｂ−１：目印とする規定点データ（正時１〜１２）を入力」「Ｂ−２：規定点を合わせる標的位置（標的方位）データを入力」といった入力案内が表示される。「Ｂ−１」欄には規定点データ入力部１３が配置され、「Ｂ−２」欄には標的位置データ入力部１４が配置される。
【００７０】
規定点データ入力部１３には、規定点ＴＳｓ（規定点データＤＰ）として３（３時）が選択され、キー入力部１５に対するタッチによって入力される。標的位置データ入力部１４には、東西南北の４つの方位が予め選択枝（標的位置候補、標的方位候補）として表示され、標的位置ＴＰ（標的位置データＴＰＤ）として例えば「西」が選択され入力される。
【００７１】
標的位置ＴＰとしての４方位を例示したが、東北、東南など、さらに多くの方位を設定することが可能である。しかし、規定点ＴＳｓを高精度に設定する場合は、標的位置ＴＰ（標的方位）は、東西南北のように簡略化したもので十分なセキュリティを確保することができ、利便性を向上させることができる。
【００７２】
図３Ｂは、図３Ａに示した認証設定入力画面２ｄにおける入力に対する処理フローを示す処理フロー図である。
【００７３】
認証用データ入力部１２、規定点データ入力部１３、標的位置データ入力部１４に対するデータ入力処理、および認証用データ部２１、規定点データ部２２、標的位置データ部２３に対する登録処理は、次のステップＳ２ないしステップＳ１４によって実行される。
【００７４】
ステップＳ２：
認証設定入力画面２ｄが表示部２（タッチパネル１１）に表示される。本ステップでの処理は、制御部１０（認証処理部３５）によって実行される。認証設定入力画面２ｄが表示された後、ステップＳ４へ移行する。
【００７５】
ステップＳ４：
認証用データ入力部１２において認証用データＮＤ（例えば「１１２２３３」）が入力され、認証用データＮＤの受け付けが実行される。認証用データＮＤが入力された後、ステップＳ６へ移行する。
【００７６】
ステップＳ６：
認証用データ部２１において認証用データＮＤが登録される。認証用データＮＤが登録された後、ステップＳ８へ移行する。
【００７７】
ステップＳ８：
規定点データ入力部１３において規定点データＤＰ（規定点ＴＳｓに対応する例えば「３」時）が入力され、規定点データＤＰの受け付けが実行される。規定点データＤＰが入力された後、ステップＳ１０へ移行する。
【００７８】
ステップＳ１０：
規定点データ部２２において規定点データＤＰ（例えば１２時に対する３時の位置として回転角α１（９０度）。図４Ａ参照）が登録される。規定点データＤＰが登録された後、ステップＳ１２へ移行する。
【００７９】
ステップＳ１２：
標的位置データ入力部１４において標的位置データＴＰＤ（例えば「西」）が入力され、標的位置データＴＰＤの受け付けが実行される。標的位置データＴＰＤが入力された後、ステップＳ１４へ移行する。
【００８０】
ステップＳ１４：
標的位置データ部２３において標的位置データＴＰＤ（例えば北に対する西の北からの方位角α２＝２７０度。図４Ｂ参照）が登録される。標的位置データＴＰＤが登録され、認証用データＮＤの設定、および前提条件としての規定点データＤＰ、標的位置データＴＰＤの設定は終了し、認証設定入力画面２ｄは閉じられる。
【００８１】
なお、ステップＳ４、ステップＳ８、ステップＳ１２の入力を受け付けた後、ステップＳ６、ステップＳ１０、ステップＳ１４を一括して処理する形態とすることも可能である。なお、入力の確定は図示しない確定キーによって実行される。
【００８２】
図４Ａないし図５を参照して、認証を実行するときの処理の形態について説明する。
【００８３】
図４Ａは、図１Ａに示した携帯電子機器１における認証時の認証条件照合画面２ｓを概念的に示す概念説明図である。
【００８４】
認証条件照合画面２ｓには、認証画像ＡＰ（アナログ時計の文字盤）が正規の表示状態に対して認証の都度、Ｚ軸を回転中心とした異なる回転角で回転（オフセット回転）されて表示される。なお、時刻（長針、短針）はその時の時刻をオフセット回転に合わせて回転して表示されるので時計としての機能はそのまま維持される。
【００８５】
認証に先立って、規定点データＤＰ（３時：１２時からの回転角α１＝９０度）に対して乱数制御部３２が生成した乱数Ｒに基づく演算処理（例えば、Ｒ＊α１）が施される。演算処理の結果、規定点オフセットデータＤＲ（規定点オフセット回転角：規定点ＴＳｓのＹ軸からの回転角β１＝２２５度）が算出され、規定点表示制御部３１は、規定点ＴＳｓである３時位置をＹ軸からの回転角β１＝２２５度として表示する。
【００８６】
アナログ時計の１２時位置（通常の表示ではＹ軸方向）は、認証の度に異なる値となるオフセット回転角αｒ＝１３５度（回転角β１−回転角α１＝２２５−９０）に応じて回転した状態で表示される。つまり、認証の都度、異なる認証条件照合画面２ｓ（認証画像ＡＰ：アナログ時計）が表示されることから、認証条件の前提について以前の表示状態および処理動作を仮に知っていたとしても、認定の都度異なる表示状態となることから、認証に対するセキュリティを破ることは困難となる。
【００８７】
図４Ｂは、図４Ａに示した認証条件照合画面２ｓにおいて規定点ＴＳｓ（表示部２）を標的位置ＴＰに向けて移動操作する直前の状態を概念的に示す概念説明図である。
【００８８】
説明と理解の容易さを考慮して方位計４１ｄを表示した状態を示す。なお、実際の方位が明確に認識できる状態では、方位計４１ｄを表示する必要はない。
【００８９】
方位計４１ｄによって実際の北方位ＲＮが表示（認識）され、北方位ＲＮに基づいて標的位置ＴＰ（標的位置データＴＰＤ：西）が特定される。つまり、認証画像ＡＰ（アナログ時計）によって規定点ＴＳｓ（３時位置）が表示され、規定点ＴＳｓと位置合わせすべき標的位置ＴＰ（標的方位としての西）とが把握される。
【００９０】
なお、Ｙ軸と北方位ＲＮとの方位ずれβ２（方位ずれ角β２）は、認証時の場所、認証時の筐体３の配置状態によって変動する。また、北の方位（北方位ＲＮ）に対する西の方位（標的位置ＴＰ）の関係を示す標的方位の方位角α２は、２７０度である。図４Ｂに示した状態から表示部２（筐体３）をシフト角γ（認証の前提条件を満たすための位置合わせを実行するときの筐体３に対する回転の操作量）に応じて回転（移動操作）させることによって、規定点ＴＳｓ（３時）の位置を標的位置ＴＰ（西方位）に一致させる（図４参照）。図４Ｃにおいて、シフト角γの回転操作によって規定点ＴＳｓと標的位置ＴＰとを同一方向で一致させた状態を示す。
【００９１】
また、認証条件照合画面２ｓには、移動操作を確定する移動操作確定部３４が表示され、シフト角γの移動操作が終了して位置合わせ状態が終了したことを確定できる構成とされる。位置合わせ状態が終了したことを確定させる入力が実行されることから、携帯電子機器１を一回転させる移動操作によって規定点ＴＳｓと標的方位とが一致する位置で認証条件が一致したと判定されることを排除できる。
【００９２】
図４Ｃは、図４Ｂに示した認証条件照合画面２ｓ（表示部２）に対してシフト角γ（移動操作）を及ぼし、規定点ＴＳｓを標的位置ＴＰに位置決めした状態を概念的に示す概念説明図である。
【００９３】
シフト角γの回転量によって規定点ＴＳｓ（３時）の位置は、標的位置ＴＰ（西方位）と同方向を向く。つまり、規定点ＴＳｓは、認証画像ＡＰ（アナログ時計）の回転中心を方位の中心とした場合に西方位を向く配置となる。
【００９４】
なお、認証画像ＡＰ（アナログ時計）における回転中心は、長針および短針の回転軸であり、各正時を円周上に配置した円の中心である。また、方位計４１ｄは、認証条件照合画面２ｓの適宜の位置に表示（配置）され、表示部２（筐体３）の回転に応じて実際の北方位ＲＮを表示する。したがって、規定点ＴＳｓと標的位置ＴＰとを並置した状態で位置決め（位置合わせ）ができることから、高精度での位置照合が可能となる。
【００９５】
位置決めが終了した時点で、移動操作確定部３４に対するタッチ操作が行われ、前提条件としての筐体３（表示部２）に対する位置合わせの移動操作が確定する。移動操作確定部３４における位置合わせの移動操作が終了（確定）することから、確定後の筐体３の配置を自由に移動することが可能となり、図４Ｄで示す認証用データＮＤの入力操作が容易になる。
【００９６】
なお、位置決めした状態で固定状態が一定時間に渡って維持された場合に移動操作が終了されたと認識させる形態とすることもできる。この場合は、移動操作確定部３４の表示、さらには、移動操作確定部３４に対する入力を省略させることができる。
【００９７】
シフト角γの移動操作が終了した状態では、「認証時Ｙ軸の方位ずれ角β２」＋「Ｙ軸（表示部２、筐体３）のＺ軸周りの回転角（移動量）であるシフト角γ」＋「オフセット回転角β１」＝「標的方位の方位角α２」が成立する。つまり、「シフト角γ」＝「標的方位の方位角α２−オフセット回転角β１−認証時Ｙ軸の方位ずれ角β２」に相当する移動操作を表示部２（筐体３）に対して施した場合に、認証条件判定部３３は、認証時の前提条件が満たされたと判断する。
【００９８】
図４Ｄは、図４Ｃに示した認証条件照合画面２ｓに対する処理が終了した後、認証用データが入力された状態を概念的に示す概念説明図である。
【００９９】
前提条件が満たされ認証画像ＡＰ、方位計４１ｄがロックされた状態では、方位計４１ｄの子午線に交差する東西線Ｌｅｗは、認証画像ＡＰ（アナログ時計）の３時・９時線と平行な状態となり、認証の前提条件を満たしていることが明示される。なお、この段階では、位置決めを終了していることから、方位計４１ｄを消去することも可能である。
【０１００】
前提条件を満たしたことから、認証用データ入力部１２が表示され、認証用データＮＤの入力を許容する画面が表示される。認証用データＮＤとして「１１２２３３」が入力され、入力された認証用データＮＤが正常であれば、認証処理部３５による認証処理が終了し、セキュリティを解除される。なお、認証用データ入力部１２を表示した状態では、認証画像ＡＰ、方位計４１ｄは、消去されても良い。
【０１０１】
図５は、図４Ａないし図４Ｄに示した認証時の処理状態をフローとして示す処理フロー図である。
【０１０２】
図４Ａないし図４Ｄに示した各処理は、次に示すステップＳ２０ないしステップＳ４０としての処理フローを構成する。ステップＳ２０ないしステップＳ４０の処理フローによって認証時の前提条件の照合、認証用データＮＤの入力、照合が実行され、認証処理が終了する。
【０１０３】
ステップＳ２０：
携帯電子機器１の操作が開始される。操作には、認証が必要な操作と認証が不要な操作とがあることから、操作が開始された後、ステップＳ２２へ移行する。
【０１０４】
ステップＳ２２：
制御部１０（認証処理部３５）において、タッチパネル１１から入力（指示）された操作は、認証が必要な処理か否かが判断される。認証が必要な場合（本ステップ：ＹＥＳ）は、ステップＳ２４へ移行し、認証が不要な場合（本ステップ：ＮＯ）は、ステップＳ４０へ移行する。
【０１０５】
ステップＳ２４：
認証が必要であることから、乱数制御部３２は、認証の都度、認証時の前提条件を異ならせるため、認証画像ＡＰ（アナログ時計）の規定点ＴＳｓ（規定点データＤＰ）に対する乱数処理を施し、規定点表示制御部３１は、乱数処理を施した認証画像ＡＰ（規定点ＴＳｓの配置を異ならせた状態の画像）を表示部２に表示する。つまり、表示部２には、図４Ａに示した状態の認証条件照合画面２ｓが表示される。表示部２に認証条件照合画面２ｓを表示した状態で、ステップＳ２６へ移行する。
【０１０６】
ステップＳ２６：
筐体３（表示部２）に対する移動操作の有無を判断する。移動操作が施された場合（本ステップ：ＹＥＳ）は、ステップＳ２８へ移行し、移動操作がない場合（本ステップ：ＮＯ）は、元へ戻る。
【０１０７】
なお、筐体３に対する移動処理の有無は、モーションセンサー４２によって直接的に検出することができるが、認証画像ＡＰ（アナログ時計）に表示された規定点ＴＳｓの規定点データＤＰと実際の方位を検出する方位計４１ｄとの相関関係の変化から判断することなど種々の形態で検出することができる。
【０１０８】
本ステップは、図４Ｂ、図４Ｃに示した状態が対応する。
【０１０９】
ステップＳ２８：
筐体３に対する移動処理が終了したことについて終了信号の入力の有無を判断する。つまり、移動操作確定部３４に対する入力の有無を判断する。移動操作を完了した旨の入力がされた場合（本ステップ：ＹＥＳ）は、ステップＳ３０へ移行し、移動処理を完了した旨の入力がされない場合（本ステップ：ＮＯ）は、元へ戻る。移動操作の処理を確定する入力をさせることによって、認証の前提条件を満たすか否かの判定（移動処理の正確性、信頼性）をより高精度に実行することができる。
【０１１０】
本ステップは、図４Ｂ、図４Ｃに示した状態が対応する。
【０１１１】
ステップＳ３０：
移動操作による入力（移動処理：シフト角γ）は認証に必要な前提条件を満たすか否かが判断される。前提条件を満たす場合（本ステップ：ＹＥＳ）は、ステップＳ３２へ移行し、前提条件を満たさない場合（本ステップ：ＮＯ）は、ステップＳ２４へ戻る。
【０１１２】
なお、前提条件を満たす場合とは、シフト角γによる操作量（筐体３に対する回転移動）が正確に施され、図４Ｃに示した状態（規定点ＴＳｓと標的位置ＴＰとが同一方向を向く）が確定されたときである。
【０１１３】
ステップＳ３２：
認証の前提条件が満たされたことから、認証用データＮＤを入力させる認証用データ入力部１２が表示され、移動操作確定部３４へ移行する。
【０１１４】
ステップＳ３４：
制御部１０（認証処理部３５、認証用データ入力部１２）は、認証用データ入力部１２に対する入力の有無を判断する。認証用データ入力部１２に対する認証用データＮＤの入力がされた場合（本ステップ：ＹＥＳ）は、ステップＳ３６へ移行し、認証用データＮＤが入力されない場合（本ステップ：ＮＯ）は、元へ戻る。なお、認証用データＮＤが予め定めた時間内に入力されない場合は、ステップＳ２４へ戻る形態としても良い。
【０１１５】
本ステップは、図４Ｄに示した状態が対応する。
【０１１６】
ステップＳ３６：
認証処理部３５（制御部１０）は、認証用データ入力部１２に入力された認証用データＮＤ（例えば、「１１２２３３」）が予め登録された認証用データＮＤと一致するか否かについて判断する。入力された認証用データＮＤが予め登録された認証用データＮＤと一致する場合（本ステップ：ＹＥＳ）は、ステップＳ３８へ移行し、一致しない場合（本ステップ：ＮＯ）は、ステップＳ２４へ戻る。
【０１１７】
ステップＳ３８：
入力された認証用データＮＤが登録された認証用データＮＤに一致することから、認証は正常に終了し、セキュリティは解除され、ステップＳ４０へ移行する。
【０１１８】
ステップＳ４０：
指示された操作に応じて通常操作が実行され、処理が終了する。
【０１１９】
上記したとおり、本実施の形態に係る携帯電子機器１は、認証時に適用される認証画像ＡＰを表示する表示部２と、表示部２を保持する筐体３とを備える携帯電子機器１であって、認証時に入力すべきデータとして予め入力された認証用データＮＤが登録される認証用データ部２１と、認証画像ＡＰにおける目印として予め規定された規定点ＴＳｓを示す規定点データＤＰが登録される規定点データ部２２と、認証時に規定点ＴＳｓが位置合わせされるべき位置として入力された標的位置ＴＰを示す標的位置データＴＰＤが登録される標的位置データ部２３と、認証の都度、表示部２における規定点ＴＳｓの位置を異ならせて表示する規定点表示制御部３１と、認証時に規定点ＴＳｓが標的位置ＴＰ（本実施の形態では、標的方位）に位置合わせされたことを検出して認証の前提条件を満たしたと判定する認証条件判定部３３とを備える。
【０１２０】
したがって、本実施の形態に係る携帯電子機器１は、認証時において表示部２に表示される規定点ＴＳｓの位置が認証の都度変更されることから、認証の前提条件を満たすために筐体３を移動させる移動操作が認証の都度全く異なることになり、認証中の動作、あるいは操作を見られたときにそのまま真似されたとしても全く意味をなさず、他者による認証の解除が困難となり、例え認証用データＮＤをログなどで解析された場合でも認証が解除されることを防止できる。
【０１２１】
また、携帯電子機器１では、標的位置ＴＰは、筐体３が置かれた場所での方位（標的方位）である。したがって、本実施の形態に係る携帯電子機器１は、筐体３が置かれた場所での方位を標的位置ＴＰとすることから、どのような場所で使用する場合でも高精度に認証を実施することが可能となり、利便性を向上させることができる。
【０１２２】
また、携帯電子機器１では、認証画像ＡＰは、アナログ時計の文字盤である。したがって、本実施の形態に係る携帯電子機器１は、アナログ時計の正時表示、分表示などをそのまま利用して規定点ＴＳｓを設定できるので、高精度に規定点ＴＳｓを設定し、また、認証に際しての高精度な位置合わせを要求することができる。
【０１２３】
また、携帯電子機器１では、規定点ＴＳｓが標的位置ＴＰに位置合わせされたときの筐体３に対する移動操作を確定する移動操作確定部３４を備える。したがって、本実施の形態に係る携帯電子機器１は、認証時の移動操作が終了したとき、移動操作確定部３４に移動操作を確定させることから、その後の操作に対する筐体３の配置を自由にすることが可能となるので、回転させた筐体３を操作しやすい位置に戻して認証用データＮＤを入力することができ、利便性が向上する。
【０１２４】
また、携帯電子機器１では、認証条件判定部３３は、移動操作確定部３４が筐体３に対する移動操作を確定した後に、移動動作が前提条件を満たすか否かについて判定する構成とされている。したがって、本実施の形態に係る携帯電子機器１は、筐体３に対する移動操作（位置合わせ操作）が移動操作確定部３４によって確定された状態で、移動動作が前提条件を満たすか否かを判定することから、移動操作が確定された後に認証用データＮＤを入力させることができるので、規定点ＴＳｓ（筐体３）を一回転させたときに該当する位置で認証条件が満たされたと誤って判定されることを防止でき、認定の信頼性を向上させる。
【０１２５】
また、携帯電子機器１では、認証条件判定部３３が認証の前提条件を満たしていると判定したとき、認証用データＮＤを入力させる認証用データ入力部１２を動作させる。したがって、本実施の形態に係る携帯電子機器１は、認証条件判定部３３が認証の前提条件を満たしたときに、認証用データＮＤを入力させる認証用データ入力部１２を動作させることから、認証用データＮＤが知られたときでも認証を破ることは容易にできないので、認証の防犯性を向上して高いセキュリティを確保することができる。
【０１２６】
また、携帯電子機器１では、認証画像ＡＰが登録された認証画像データ部２４を備える。したがって、本実施の形態に係る携帯電子機器１は、認証画像ＡＰが予め登録されることから、高精度な規定点ＴＳｓを容易に設定できる認証画像ＡＰとすることが可能であり、利便性の高い認証を実行することができる。
【０１２７】
また、本実施の形態では、上記した携帯電子機器１に加え、携帯電子機器１における認証方法を次に示すように抽出することができる。
【０１２８】
本実施の形態に係る携帯電子機器１における認証方法は、認証時に適用される認証画像ＡＰを表示する表示部２と、表示部２を保持する筐体３とを備える携帯電子機器１における認証方法であって、認証時に入力すべきデータとして予め入力された認証用データＮＤを認証用データ部２１に登録するステップと、認証画像ＡＰにおける目印として予め規定された規定点ＴＳｓを示す規定点データＤＰを規定点データ部２２に登録するステップと、認証時に規定点ＴＳｓが位置合わせされるべき位置として入力された標的位置ＴＰを示す標的位置データＴＰＤを標的位置データ部２３に登録するステップと、認証の都度、表示部２における規定点ＴＳｓの位置を異ならせて規定点表示制御部３１に表示させるステップと、認証時に規定点ＴＳｓが標的位置ＴＰに位置合わせされたことを検出して認証の前提条件を満たしたと認証条件判定部３３に判定させるステップとを備える。
【０１２９】
したがって、本実施の形態に係る携帯電子機器１における認証方法は、認証時において表示部２に表示される規定点ＴＳｓの位置が認証の都度変更されることから、認証の前提条件を満たすために筐体３を移動させる移動操作が認証の都度全く異なることになり、認証中の動作、あるいは操作を見られたときにそのまま真似されたとしても全く意味をなさず、他者による認証の解除が困難となるので、例え認証用データＮＤをログなどで解析された場合でも認証が解除されることを防止できる。
【０１３０】
また、携帯電子機器１における認証方法では、規定点ＴＳｓが標的位置ＴＰに位置合わせされたときの筐体３に対する移動操作を移動操作確定部３４に確定させるステップを備える。
【０１３１】
したがって、本実施の形態に係る携帯電子機器１における認証方法は、認証時の移動操作が終了したとき、移動操作を確定させることから、その後の操作に対する筐体３の配置を自由にすることが可能となるので、回転させた筐体３を操作しやすい位置に戻して認証用データＮＤを入力することができ、利便性が向上する。
【０１３２】
また、携帯電子機器１における認証方法では、筐体３に対する移動操作を移動操作確定部３４に確定させた後に、移動動作が前提条件を満たすか否かについて認証条件判定部３３に判定させるステップを備える。
【０１３３】
したがって、本実施の形態に係る携帯電子機器１における認証方法は、筐体３に対する移動操作（位置合わせ操作）が移動操作確定部３４によって確定された状態で、認証の前提条件が満たされたか否かを判定することから、移動操作が確定された後に認証用データＮＤを入力させることができるので、規定点ＴＳｓを一回転させたときに該当する位置で認証条件が満たされたと誤って判定されることを防止でき、認定の信頼性を向上する。
【０１３４】
また、携帯電子機器１における認証方法では、認証の前提条件を満たしていると認証条件判定部３３が判定したとき、認証用データＮＤを入力させる認証用データ入力部１２を動作させるステップを備える。
【０１３５】
したがって、本実施の形態に係る携帯電子機器１における認証方法は、認証条件判定部３３が認証の前提条件を満たしたときに、認証用データＮＤを入力させる認証用データ入力部１２を動作させることから、認証用データＮＤが知られたときでも認証を破ることは容易にできないので、認証の防犯性を向上して高いセキュリティを確保することができる。
【０１３６】
また、携帯電子機器１における認証方法では、認証画像ＡＰが登録された認証画像データ部２４を備える。
【０１３７】
したがって、本実施の形態に係る携帯電子機器１における認証方法は、認証画像ＡＰが予め登録されることから、高精度な規定点ＴＳｓを容易に設定できる認証画像ＡＰとすることが可能であり、利便性の高い認証を実行することができる。
【０１３８】
また、本実施の形態では、上記した携帯電子機器１における認証方法に加えて、携帯電子機器１における認証方法をコンピュータに実行させるコンピュータプログラムを次に示すように抽出することができる。
【０１３９】
本実施の形態に係る携帯電子機器１における認証方法をコンピュータに実行させるコンピュータプログラムは、認証時に適用される認証画像ＡＰを表示する表示部２と、表示部２を保持する筐体３とを備える携帯電子機器１における認証方法をコンピュータに実行させるコンピュータプログラムであって、認証時に入力すべきデータとして予め入力された認証用データＮＤを認証用データ部２１に登録するステップと、認証画像ＡＰにおける目印として予め規定された規定点ＴＳｓを示す規定点データＤＰを規定点データ部２２に登録するステップと、認証時に規定点ＴＳｓが位置合わせされるべき位置として入力された標的位置ＴＰを示す標的位置データＴＰＤを標的位置データ部２３に登録するステップと、認証の都度、表示部２における規定点ＴＳｓの位置を異ならせて規定点表示制御部３１に表示させるステップと、認証時に規定点ＴＳｓが標的位置ＴＰに位置合わせされたことを検出して認証の前提条件を満たしたと認証条件判定部３３に判定させるステップとをコンピュータに実行させる。
【０１４０】
したがって、本実施の形態に係る携帯電子機器１における認証方法をコンピュータに実行させるコンピュータプログラムは、認証時において表示部２に表示される規定点ＴＳｓの位置が認証の都度変更されることから、認証の前提条件を満たすために筐体３を移動させる移動操作が認証の都度全く異なることになり、認証中の動作、あるいは操作を見られたときにそのまま真似されたとしても全く意味をなさず、他者による認証の解除が困難となるので、例え認証用データＮＤをログなどで解析された場合でも認証が解除されることを防止できる。
【０１４１】
また、携帯電子機器１における認証方法をコンピュータに実行させるコンピュータプログラムでは、規定点ＴＳｓが標的位置ＴＰに位置合わせされたときの筐体３に対する移動操作を移動操作確定部３４に確定させるステップを備える。
【０１４２】
したがって、本実施の形態に係る携帯電子機器１における認証方法をコンピュータに実行させるコンピュータプログラムは、認証時の移動操作が終了したとき、移動操作を確定させることから、その後の操作に対する筐体３の配置を自由にすることが可能となるので、回転させた筐体３を操作しやすい位置に戻して認証用データＮＤを入力することができ、利便性が向上する。
【０１４３】
また、携帯電子機器１における認証方法をコンピュータに実行させるコンピュータプログラムでは、筐体３に対する移動操作を移動操作確定部３４に確定させた後に、移動動作が前提条件を満たすか否かについて認証条件判定部３３に判定させるステップを備える。
【０１４４】
したがって、本実施の形態に係る携帯電子機器１における認証方法をコンピュータに実行させるコンピュータプログラムは、筐体３に対する移動操作（位置合わせ操作）が移動操作確定部３４によって確定された状態で、認証の前提条件が満たされたか否かを判定することから、移動操作が確定された後に認証用データＮＤを入力させることができるので、規定点ＴＳｓを一回転させたときに該当する位置で認証条件が満たされたと誤って判定されることを防止でき、認定の信頼性を向上する。
【０１４５】
また、携帯電子機器１における認証方法をコンピュータに実行させるコンピュータプログラムでは、認証の前提条件を満たしていると認証条件判定部３３が判定したとき、認証用データＮＤを入力させる認証用データ入力部１２を動作させるステップを備える。
【０１４６】
したがって、本実施の形態に係る携帯電子機器１における認証方法をコンピュータに実行させるコンピュータプログラムは、認証条件判定部３３が認証の前提条件を満たしたときに、認証用データＮＤを入力させる認証用データ入力部１２を動作させることから、認証用データＮＤが知られたときでも認証を破ることは容易にできないので、認証の防犯性を向上して高いセキュリティを確保することができる。
【０１４７】
また、携帯電子機器１における認証方法をコンピュータに実行させるコンピュータプログラムでは、認証画像ＡＰが登録された認証画像データ部２４を備える。
【０１４８】
したがって、本実施の形態に係る携帯電子機器１における認証方法をコンピュータに実行させるコンピュータプログラムは、認証画像ＡＰが予め登録されることから、高精度な規定点ＴＳｓを容易に設定できる認証画像ＡＰとすることが可能であり、利便性の高い認証を実行することができる。
【０１４９】
＜実施の形態２＞
図６Ａないし図６Ｃを参照して、本実施の形態に係る携帯電子機器、携帯電子機器における認証方法、および、携帯電子機器における認証方法をコンピュータに実行させるコンピュータプログラムについて説明する。
【０１５０】
なお、本実施の形態に係る携帯電子機器は、実施の形態１に係る携帯電子機器１と基本的な構成が同様であるので符号を援用し、主に異なる事項について説明する。
【０１５１】
本実施の形態に係る携帯電子機器１は、実施の形態１に係る携帯電子機器１における認証画像ＡＰがアナログ時計であったのに対して、認証画像ＡＰとして地図（例えば、概略日本全図）を採用している点で相違する。
【０１５２】
図６Ａは、本発明の実施の形態２に係る携帯電子機器１において認証条件を設定するときの認証設定入力画面２ｄ（規定点データ入力部１３ｍ）を概念的に示す概念図である。
【０１５３】
本実施の形態に係る携帯電子機器１では、認証画像ＡＰとして地図を利用することから、規定点ＭＰｓの選定をさらに複雑化させ、認証の前提条件が第３者に自由に解除されることを確実に防止することができる。
【０１５４】
認証画像ＡＰ（地図）は、そのまま規定点データ入力部１３ｍ（規定点データ入力部１３）として利用され、地図の経度、緯度に対応する矩形の外枠がそれぞれ３等分され、９個の領域に分割されている。外枠の分割境界に規定点候補ＭＰ（実施の形態１における規定点候補ＴＳ（１時ないし１２時の１２個の正時位置）に対応）が合計で１２個配置される。分割数を増やすことによってさらに精細な規定点候補ＭＰの設定が可能となる。
【０１５５】
また、地図上の北方位ＭＮ、地図の中心ＭＣが示されている。なお、地図の中心ＭＣは、地図の選択に応じて適宜設定される形態とすることができる。つまり、新たな地図をインターネットを介して取得し、取得した地図に対して中心ＭＣを設定する構成とすることができる。
【０１５６】
なお、本実施の形態では、規定点ＭＰｓとして「北東方位」の位置が選択され入力された状態を規定点候補ＭＰの黒丸を反転させた白丸で表示している。つまり、本実施の形態では、認証画像ＡＰとして地図を利用することから、規定点ＭＰｓの設定は地図上で直接実行される。
【０１５７】
本実施の形態では、認証用データ入力部１２、標的位置データ入力部１４（本実施の形態では、標的位置ＴＰ（標的位置データＴＰＤ：標的方位＝「北」として説明する。図６Ｂ参照）は、実施の形態１と同様にして入力されるので説明を省略する。
【０１５８】
なお、図６Ａにおける処理は、実施の形態１（図３Ｂ）におけるステップＳ８、ステップＳ１０の一部として単純に追加して実行される。
【０１５９】
図６Ｂは、図６Ａに示した携帯電子機器１における認証時の認証条件照合画面２ｓを概念的に示す概念図である。
【０１６０】
認証が必要な場合において、認証画像ＡＰ（地図）に対して乱数処理が施され、規定点ＭＰｓは、Ｚ軸を回転中心とするオフセット回転角αｒ＝４５度が設定された状態が例示される。図６Ｂは、実施の形態１の図４Ｂの状態に相当する。
【０１６１】
また、説明および理解を容易にするため、方位計４１ｄを示し、この時の標的位置ＴＰ（標的方位＝北。標的位置データＴＰＤ）に対して実際の北方位ＲＮが一致しＹ軸方向とされた状態を示す。
【０１６２】
なお、規定点ＭＰｓは、規定点として選択されたことが認識されないように、他の規定点候補ＭＰと同様な表示形態とされる。
【０１６３】
図６Ｃは、図６Ｂに示した認証条件照合画面２ｓ（表示部２）に対してシフト角γ（移動操作）を及ぼし、規定点ＭＰｓを標的位置ＴＰに位置決めした状態を概念的に示す概念図である。
【０１６４】
シフト角γの回転量によって規定点ＭＰｓ（地図上の北東方位）の位置は、標的位置ＴＰ（標的方位：北）と同方向を向く。つまり、規定点ＭＰｓは、認証画像ＡＰ（地図）の回転中心（地図の中心ＭＣ）を方位の中心とした場合に標的位置ＴＰとしての北方位を向く配置となり、認証の前提条件を満たすと判断される。図６Ｃは、実施の形態１の図４Ｃの状態に相当する。
【０１６５】
移動操作確定部３４に対するタッチ操作が行われた後、規定点ＭＰｓ（北東方位）が標的位置ＴＰ（北方位）に一致していれば、認証条件判定部３３は、認証時の前提条件が満たされたと判断する。
【０１６６】
上記したとおり、本実施の形態に係る携帯電子機器１は、実施の形態１に係る携帯電子機器１と基本構成を共通にしている。
【０１６７】
つまり、本実施の形態に係る携帯電子機器１は、認証時に適用される認証画像ＡＰを表示する表示部２と、表示部２を保持する筐体３とを備える携帯電子機器１であって、認証時に入力すべきデータとして予め入力された認証用データＮＤが登録される認証用データ部２１と、認証画像ＡＰにおける目印として予め規定された規定点ＴＳｓを示す規定点データＤＰが登録される規定点データ部２２と、認証時に規定点ＴＳｓが位置合わせされるべき位置として入力された標的位置ＴＰを示す標的位置データＴＰＤが登録される標的位置データ部２３と、認証の都度、表示部２における規定点ＴＳｓの位置を異ならせて表示する規定点表示制御部３１と、認証時に規定点ＴＳｓが標的位置ＴＰ（本実施の形態では、標的方位）に位置合わせされたことを検出して認証の前提条件を満たしたと判定する認証条件判定部３３とを備える。
【０１６８】
したがって、本実施の形態に係る携帯電子機器１は、認証時において表示部２に表示される規定点ＴＳｓの位置が認証の都度変更されることから、認証の前提条件を満たすために筐体３を移動させる移動操作が認証の都度全く異なることになり、認証中の動作、あるいは操作を見られたときにそのまま真似されたとしても全く意味をなさず、他者による認証の解除が困難となり、例え認証用データＮＤをログなどで解析された場合でも認証が解除されることを防止できる。
【０１６９】
また、携帯電子機器１では、認証画像ＡＰは、地図である。したがって、本実施の形態に係る携帯電子機器１は、地図を利用して規定点ＴＳｓを設定できるので、高精度に規定点ＴＳｓを設定し、また、認証に際しての高精度な位置合わせを要求することができる。
【０１７０】
また、本実施の形態では、上記した携帯電子機器１に加え、携帯電子機器１における認証方法を次に示すように抽出することができる。なお、本実施の形態に係る携帯電子機器１における認証方法は、実施の形態１に係る携帯電子機器１における認証方法と基本構成を共通にしている。
【０１７１】
本実施の形態に係る携帯電子機器１における認証方法は、認証時に適用される認証画像ＡＰを表示する表示部２と、表示部２を保持する筐体３とを備える携帯電子機器１における認証方法であって、認証時に入力すべきデータとして予め入力された認証用データＮＤを認証用データ部２１に登録するステップと、認証画像ＡＰにおける目印として予め規定された規定点ＴＳｓを示す規定点データＤＰを規定点データ部２２に登録するステップと、認証時に規定点ＴＳｓが位置合わせされるべき位置として入力された標的位置ＴＰを示す標的位置データＴＰＤを標的位置データ部２３に登録するステップと、認証の都度、表示部２における規定点ＴＳｓの位置を異ならせて規定点表示制御部３１に表示させるステップと、認証時に規定点ＴＳｓが標的位置ＴＰに位置合わせされたことを検出して認証の前提条件を満たしたと認証条件判定部３３に判定させるステップとを備える。
【０１７２】
したがって、本実施の形態に係る携帯電子機器１における認証方法は、認証時において表示部２に表示される規定点ＴＳｓの位置が認証の都度変更されることから、認証の前提条件を満たすために筐体３を移動させる移動操作が認証の都度全く異なることになり、認証中の動作、あるいは操作を見られたときにそのまま真似されたとしても全く意味をなさず、他者による認証の解除が困難となるので、例え認証用データＮＤをログなどで解析された場合でも認証が解除されることを防止できる。
【０１７３】
なお、携帯電子機器１における認証方法の細部は、実施の形態１における認証方法の細部と共通するので詳細については省略する。
【０１７４】
また、本実施の形態では、上記した携帯電子機器１における認証方法に加えて、携帯電子機器１における認証方法をコンピュータに実行させるコンピュータプログラムを次に示すように抽出することができる。
【０１７５】
本実施の形態に係る携帯電子機器１における認証方法をコンピュータに実行させるコンピュータプログラムは、認証時に適用される認証画像ＡＰを表示する表示部２と、表示部２を保持する筐体３とを備える携帯電子機器１における認証方法をコンピュータに実行させるコンピュータプログラムであって、認証時に入力すべきデータとして予め入力された認証用データＮＤを認証用データ部２１に登録するステップと、認証画像ＡＰにおける目印として予め規定された規定点ＴＳｓを示す規定点データＤＰを規定点データ部２２に登録するステップと、認証時に規定点ＴＳｓが位置合わせされるべき位置として入力された標的位置ＴＰを示す標的位置データＴＰＤを標的位置データ部２３に登録するステップと、認証の都度、表示部２における規定点ＴＳｓの位置を異ならせて規定点表示制御部３１に表示させるステップと、認証時に規定点ＴＳｓが標的位置ＴＰに位置合わせされたことを検出して認証の前提条件を満たしたと認証条件判定部３３に判定させるステップとをコンピュータに実行させる。
【０１７６】
したがって、本実施の形態に係る携帯電子機器１における認証方法をコンピュータに実行させるコンピュータプログラムは、認証時において表示部２に表示される規定点ＴＳｓの位置が認証の都度変更されることから、認証の前提条件を満たすために筐体３を移動させる移動操作が認証の都度全く異なることになり、認証中の動作、あるいは操作を見られたときにそのまま真似されたとしても全く意味をなさず、他者による認証の解除が困難となるので、例え認証用データＮＤをログなどで解析された場合でも認証が解除されることを防止できる。
【０１７７】
なお、携帯電子機器１における認証方法をコンピュータに実行させるコンピュータプログラムの細部は、実施の形態１におけるコンピュータプログラムの細部と共通するので詳細については省略する。
【０１７８】
＜実施の形態３＞
図７Ａないし図７Ｃを参照して、本実施の形態に係る携帯電子機器、携帯電子機器における認証方法、および、携帯電子機器における認証方法をコンピュータに実行させるコンピュータプログラムについて説明する。
【０１７９】
なお、本実施の形態に係る携帯電子機器は、実施の形態２に係る携帯電子機器１、実施の形態１に係る携帯電子機器１と基本的な構成が同様であるので符号を援用し、主に異なる事項について説明する。
【０１８０】
本実施の形態に係る携帯電子機器１が実施の形態２に係る携帯電子機器１と異なる点は、認証に際して追加の前提条件が設定されていることである。つまり、本実施の形態は、地図上の任意の点を指定、あるいは地図上の任意の経路を指定することによって、さらに追加の前提条件が設定されている点で実施の形態２と相違する。
【０１８１】
図７Ａは、本発明の実施の形態３に係る携帯電子機器１において認証条件を設定するときの認証設定入力画面２ｄ（規定点ＭＰｓを入力した後の経路データ入力状態）を概念的に示す概念図である。
【０１８２】
本実施の形態に係る携帯電子機器１では、図６Ａ（実施の形態２）に示した条件に追加して、選択する経路点が認証の前提条件として入力される。
【０１８３】
経路点（経路）として、例えば九州→四国→北海道を選択、規定して経路データを入力する場合、経路点ＲＰ１（九州）、経路点ＲＰ２（四国）、経路点ＲＰ３（北海道）が、順次選択（指定、タッチ入力）された状態を示す。
【０１８４】
なお、認証画像ＡＰ（地図）を拡大することによって、さらに細かく、例えば県単位での経路点を指定することができる。具体的な地名の他に、経度、緯度によって規定される線情報、拡大、縮小に伴う拡大縮小情報などを適宜利用することができる。縮小率を設定した場合は、適宜の許容範囲を設定することも可能である。
【０１８５】
また、図６Ａに対する処理は、実施の形態１（図３Ｂ）におけるステップＳ８、ステップＳ１０の一部として単純に追加して実行される。
【０１８６】
図７Ｂは、図７Ａに示した携帯電子機器１の認証照合画面２ｓにおいて規定点ＭＰｓ（表示部２）を標的位置ＴＰに向けて位置決めした後、さらに経路データ（経路点）を入力して照合する状態（変形例１）を概念的に示す概念図である。
【０１８７】
本変形例において、シフト角γの回転量によって規定点ＭＰｓ（地図上の北東方位）の位置は、標的位置ＴＰ（標的方位：北）と同方向を向く。つまり、図６Ｃと同様の操作処理が施される。本変形例では、さらに、図７Ａで入力した経路データ（経路点ＲＰ１（九州）、経路点ＲＰ２（四国）、経路点ＲＰ３（北海道）の３か所のデータと、九州→四国→北海道の順に指定した経路順。）に対応させて経路データを入力することが照合され、正確な経路順が入力された場合に認証における前提条件が満たされたと判断される。
【０１８８】
なお、図７Ｂでは、経路の開始地点である九州（経路点ＲＰ１）が指定され、次の四国が指定される直前の状態を示す。その他の処理は、実施の形態２（および実施の形態１）に準じることから説明を省略する。また、図７Ｂに示した処理は、図５のステップＳ２６の一部として単純に追加して実行される。また、入力の当否は、認証条件判定部３３によって判断される。
【０１８９】
図７Ｃは、図７Ａに示した携帯電子機器１の認証照合画面２ｓにおいて規定点ＭＰｓ（表示部２）を標的位置ＴＰに向けて位置決めした後、さらに経路データ（移動経路）を照合する状態（変形例２）を概念的に示す概念図である。
【０１９０】
本変形例において、シフト角γの回転量によって規定点ＭＰｓ（地図上の北東方位）の位置は、標的位置ＴＰ（標的方位：北）と同方向を向く。つまり、図６Ｃと同様の操作処理が施される。本変形例では、さらに、図７Ａで入力した経路データ（経路点ＲＰ１（九州）、経路点ＲＰ２（四国）、経路点ＲＰ３（北海道）の３か所のデータと、九州→四国→北海道の順に指定した経路順。つまり、直線状に追跡したときの移動経路ＲＰｒ１→移動経路ＲＰｒ２）に対応させて表示部２（筐体３）に対する移動処理（つまり、移動方向Ｄｍ１→移動方向Ｄｍ２）が施されることで認証の前提条件が照合される。筐体３に対する正確な経路（移動処理）が施された場合に認証における前提条件が満たされたと判断される。
【０１９１】
なお、図７Ｃでは、経路に対する追跡動作を移動方向Ｄｍ１→移動方向Ｄｍ２を表示部２の外側に表示し、筐体３が移動される状態を概念的に示す。移動方向Ｄｍ１、移動方向Ｄｍ２における移動は、モーションセンサー４２によって検出することができ、モーションセンサー４２による検出結果の当否は、認証条件判定部３３によって判断される。
【０１９２】
上記したとおり、本実施の形態に係る携帯電子機器１は、実施の形態２に係る携帯電子機器１と基本構成を共通にしている。
【０１９３】
つまり、本実施の形態に係る携帯電子機器１は、認証時に適用される認証画像ＡＰを表示する表示部２と、表示部２を保持する筐体３とを備える携帯電子機器１であって、認証時に入力すべきデータとして予め入力された認証用データＮＤが登録される認証用データ部２１と、認証画像ＡＰにおける目印として予め規定された規定点ＴＳｓを示す規定点データＤＰが登録される規定点データ部２２と、認証時に規定点ＴＳｓが位置合わせされるべき位置として入力された標的位置ＴＰを示す標的位置データＴＰＤが登録される標的位置データ部２３と、認証の都度、表示部２における規定点ＴＳｓの位置を異ならせて表示する規定点表示制御部３１と、認証時に規定点ＴＳｓが標的位置ＴＰ（本実施の形態では、標的方位）に位置合わせされたことを検出して認証の前提条件を満たしたと判定する認証条件判定部３３とを備える。
【０１９４】
したがって、本実施の形態に係る携帯電子機器１は、認証時において表示部２に表示される規定点ＴＳｓの位置が認証の都度変更されることから、認証の前提条件を満たすために筐体３を移動させる移動操作が認証の都度全く異なることになり、認証中の動作、あるいは操作を見られたときにそのまま真似されたとしても全く意味をなさず、他者による認証の解除が困難となり、例え認証用データＮＤをログなどで解析された場合でも認証が解除されることを防止できる。
【０１９５】
また、携帯電子機器１では、認証画像ＡＰは、地図である。したがって、本実施の形態に係る携帯電子機器１は、地図を利用して規定点ＴＳｓを設定できるので、高精度に規定点ＴＳｓを設定し、また、認証に際しての高精度な位置合わせを要求することができる。
【０１９６】
また、本実施の形態では、上記した携帯電子機器１に加え、携帯電子機器１における認証方法を次に示すように抽出することができる。なお、本実施の形態に係る携帯電子機器１における認証方法は、実施の形態２に係る携帯電子機器１における認証方法と基本構成を共通にしている。
【０１９７】
本実施の形態に係る携帯電子機器１における認証方法は、認証時に適用される認証画像ＡＰを表示する表示部２と、表示部２を保持する筐体３とを備える携帯電子機器１における認証方法であって、認証時に入力すべきデータとして予め入力された認証用データＮＤを認証用データ部２１に登録するステップと、認証画像ＡＰにおける目印として予め規定された規定点ＴＳｓを示す規定点データＤＰを規定点データ部２２に登録するステップと、認証時に規定点ＴＳｓが位置合わせされるべき位置として入力された標的位置ＴＰを示す標的位置データＴＰＤを標的位置データ部２３に登録するステップと、認証の都度、表示部２における規定点ＴＳｓの位置を異ならせて規定点表示制御部３１に表示させるステップと、認証時に規定点ＴＳｓが標的位置ＴＰに位置合わせされたことを検出して認証の前提条件を満たしたと認証条件判定部３３に判定させるステップとを備える。
【０１９８】
したがって、本実施の形態に係る携帯電子機器１における認証方法は、認証時において表示部２に表示される規定点ＴＳｓの位置が認証の都度変更されることから、認証の前提条件を満たすために筐体３を移動させる移動操作が認証の都度全く異なることになり、認証中の動作、あるいは操作を見られたときにそのまま真似されたとしても全く意味をなさず、他者による認証の解除が困難となるので、例え認証用データＮＤをログなどで解析された場合でも認証が解除されることを防止できる。
【０１９９】
なお、携帯電子機器１における認証方法の細部は、実施の形態１における認証方法の細部と共通するので詳細については省略する。
【０２００】
また、本実施の形態では、上記した携帯電子機器１における認証方法に加えて、携帯電子機器１における認証方法をコンピュータに実行させるコンピュータプログラムを次に示すように抽出することができる。
【０２０１】
本実施の形態に係る携帯電子機器１における認証方法をコンピュータに実行させるコンピュータプログラムは、認証時に適用される認証画像ＡＰを表示する表示部２と、表示部２を保持する筐体３とを備える携帯電子機器１における認証方法をコンピュータに実行させるコンピュータプログラムであって、認証時に入力すべきデータとして予め入力された認証用データＮＤを認証用データ部２１に登録するステップと、認証画像ＡＰにおける目印として予め規定された規定点ＴＳｓを示す規定点データＤＰを規定点データ部２２に登録するステップと、認証時に規定点ＴＳｓが位置合わせされるべき位置として入力された標的位置ＴＰを示す標的位置データＴＰＤを標的位置データ部２３に登録するステップと、認証の都度、表示部２における規定点ＴＳｓの位置を異ならせて規定点表示制御部３１に表示させるステップと、認証時に規定点ＴＳｓが標的位置ＴＰに位置合わせされたことを検出して認証の前提条件を満たしたと認証条件判定部３３に判定させるステップとをコンピュータに実行させる。
【０２０２】
したがって、本実施の形態に係る携帯電子機器１における認証方法をコンピュータに実行させるコンピュータプログラムは、認証時において表示部２に表示される規定点ＴＳｓの位置が認証の都度変更されることから、認証の前提条件を満たすために筐体３を移動させる移動操作が認証の都度全く異なることになり、認証中の動作、あるいは操作を見られたときにそのまま真似されたとしても全く意味をなさず、他者による認証の解除が困難となるので、例え認証用データＮＤをログなどで解析された場合でも認証が解除されることを防止できる。
【０２０３】
なお、携帯電子機器１における認証方法をコンピュータに実行させるコンピュータプログラムの細部は、実施の形態１におけるコンピュータプログラムの細部と共通するので詳細については省略する。
【０２０４】
以上、実施の形態１ないし実施の形態３において、認証画像ＡＰとして、アナログ時計、地図を適用した場合について説明したが、規定点ＴＳｓの設定が可能で標的位置ＴＰに対して位置合わせが可能となる画像であれば良く、その他の画像（風景、人物、その他）を適用することも可能である。
【０２０５】
なお、実施の形態１ないし実施の形態３は、それぞれ相互に組み合わせることが可能である。
【符号の説明】
【０２０６】
１  携帯電子機器
２  表示部
２ｄ  認証設定入力画面
２ｓ  認証条件照合画面
３  筐体
１０  制御部
１０ｂ  バス
１１  タッチパネル
１２  認証用データ入力部
１３  規定点データ入力部
１３ｍ  規定点データ入力部
１４  標的位置データ入力部
１５  キー入力部
２０  記憶部
２１  認証用データ部
２２  規定点データ部
２３  標的位置データ部
２４  認証画像データ部
３１  規定点表示制御部
３２  乱数制御部
３３  認証条件判定部
３４  移動操作確定部
３５  認証処理部
４０  センサー部
４１  地磁気センサー
４１ｄ  方位計
４２  モーションセンサー
４８  無線通信部
ＡＰ  認証画像（アナログ時計、地図）
Ｄｍ  移動方向
Ｄｍ１、Ｄｍ２  移動方向
ＤＰ  規定点データ
ＤＲ  規定点オフセットデータ
ＭＣ  地図の中心
ＭＮ  地図上の北方位
ＭＰ  規定点候補
ＭＰｓ  規定点
ＮＤ  認証用データ
ＲＮ  実際の北方位
ＲＰ１、ＲＰ２、ＲＰ３  経路点
ＲＰｒ１、ＲＰｒ２  移動経路
ＴＰ  標的位置
ＴＰＤ  標的位置データ
ＴＳ  規定点候補
ＴＳｓ  規定点
α１  回転角
α２  方位角
αｒ  オフセット回転角
β１  回転角（規定点オフセット回転角）
β２  方位ずれ角
γ  シフト角
【図１Ａ】
2014010779.tif 000003
【図１Ｂ】
2014010779.tif 000004
【図２】
2014010779.tif 000005
【図３Ａ】
2014010779.tif 000006
【図３Ｂ】
2014010779.tif 000007
【図４Ａ】
2014010779.tif 000008
【図４Ｂ】
2014010779.tif 000009
【図４Ｃ】
2014010779.tif 000010
【図４Ｄ】
2014010779.tif 000011
【図５】
2014010779.tif 000012
【図６Ａ】
2014010779.tif 000013
【図６Ｂ】
2014010779.tif 000014
【図６Ｃ】
2014010779.tif 000015
【図７Ａ】
2014010779.tif 000016
【図７Ｂ】
2014010779.tif 000017
【図７Ｃ】
2014010779.tif 000018